Podtech/llm-jp-corpus-v4-ja_patent huggingface dataset:
(57)【要約】【課題】部品点数が少なく、かつ、部品の寸法管理に手間がかからないプーリの固定構造を提供することである。【解決手段】プーリ付き軸受１の内輪２が外嵌されるブラケット１１の軸部１３の先端に加締め代部１４を設け、軸部１３に外嵌されて係合用段面１２に後端面を押し当てられた内輪２の前端面を加締め代部１４で加締めて、プーリ付き軸受１を固定することにより、部品点数を少なくして、かつ、部品の寸法管理にも手間がかからないようにした。【選択図】図１
2007040368.tif 000002
【特許請求の範囲】
【請求項１】
プーリ付き軸受の内輪を、ブラケットの軸受係合用段面から突出する軸部に外嵌し、その後端面を前記係合用段面に押し当てて固定するプーリの固定構造において、前記内輪が外嵌されるブラケットの軸部の先端に加締め代部を設け、前記軸部に外嵌されて前記係合用段面に後端面を押し当てられた内輪の前端面を前記加締め代部で加締めて、前記プーリ付き軸受を固定したことを特徴とするプーリの固定構造。
【請求項２】
前記内輪の前端面側に前記プーリ付き軸受の軸受部を覆うダストカバーを設け、このダストカバーも前記加締め代部で共に加締めて固定するようにした請求項１に記載のプーリの固定構造。
【発明の詳細な説明】
【技術分野】
【０００１】
本発明は、プーリ付き軸受をブラケットに固定するプーリの固定構造に関する。
【背景技術】
【０００２】
自動車用エンジンのベルト等に張力を付与するテンションプーリには、プーリ付き軸受の内輪を、支点を有するブラケットの軸受係合用段面から突出する軸部に外嵌し、その後端面を係合用段面に押し当てて固定されるものがある。
【０００３】
このようなプーリの固定構造では、軸部に外嵌されて係合用段面に押し当てられた内輪の前端面をボルトで締め付けて固定する構造が多く採用されている（例えば、特許文献１参照）。特許文献１に記載されたものでは、微小変形する座金を介して内輪の前端面を締め付けている。また、一部では、内輪を軸部に圧入して固定する構造も採用されている。
【０００４】
【特許文献１】特開平７−３１７７８３号公報（第１、２図）
【発明の開示】
【発明が解決しようとする課題】
【０００５】
上述したプーリ付き軸受の内輪をボルト締めによってブラケットの軸部に固定するプーリの固定構造は、ボルトや座金を必要とし、ナットも必要とする場合もあるので、部品点数が多くなる問題がある。
【０００６】
また、プーリ付き軸受の内輪を圧入によってブラケットの軸部に固定するプーリの固定構造は、別々に供給される軸受の内輪とブラケットの軸部の寸法を高い精度で管理する必要があり、部品の寸法管理に手間がかかる問題がある。
【０００７】
そこで、本発明の課題は、部品点数が少なく、かつ、部品の寸法管理に手間がかからないプーリの固定構造を提供することである。
【課題を解決するための手段】
【０００８】
上記の課題を解決するために、本発明は、プーリ付き軸受の内輪を、ブラケットの軸受係合用段面から突出する軸部に外嵌し、その後端面を前記係合用段面に押し当てて固定するプーリの固定構造において、前記内輪が外嵌されるブラケットの軸部の先端に加締め代部を設け、前記軸部に外嵌されて前記係合用段面に後端面を押し当てられた内輪の前端面を前記加締め代部で加締めて、前記プーリ付き軸受を固定する構成を採用した。
【０００９】
すなわち、内輪が外嵌されるブラケットの軸部の先端に加締め代部を設け、軸部に外嵌されて係合用段面に後端面を押し当てられた内輪の前端面を加締め代部で加締めて、プーリ付き軸受を固定することにより、部品点数を少なくして、かつ、部品の寸法管理にも手間がかからないようにした。
【００１０】
前記内輪の前端面側に前記プーリ付き軸受の軸受部を覆うダストカバーを設け、このダストカバーも前記加締め代部で共に加締めて固定することにより、軸受部のダストカバーを取り付ける別途の手間を省くことができる。
【発明の効果】
【００１１】
本発明のプーリの固定構造は、内輪が外嵌されるブラケットの軸部の先端に加締め代部を設け、軸部に外嵌されて段面に後端面を押し当てられた内輪の前端面を加締め代部で加締めて、プーリ付き軸受を固定するようにしたので、部品点数を少なくでき、かつ、部品の寸法管理にも手間がかからない。
【００１２】
前記内輪の前端面側に前記プーリ付き軸受の軸受部を覆うダストカバーを設け、このダストカバーも加締め代部で共に加締めて固定することにより、軸受部のダストカバーを取り付ける別途の手間を省くことができる。
【発明を実施するための最良の形態】
【００１３】
以下、図面に基づき、本発明の実施形態を説明する。図１（ａ）、（ｂ）は、第１の実施形態を示す。このプーリの固定構造は、図１（ｂ）に示すように、プーリ付き軸受１の内輪２が、ブラケット１１の軸受係合用段面１２から突出する軸部１３に外嵌されて、その後端面が係合用段面１２に押し当てられ、軸部１３の先端に設けられた加締め代部１４によって、図１（ａ）に示すように、内輪２の前端面が加締められ、プーリ付き軸受１がブラケット１１に固定されている。
【００１４】
前記プーリ付き軸受１は、外輪３に金属製のプーリ７を一体に取り付けたものであり、内輪２と外輪３の軸受空間には、複数のボール４が保持器５で保持され、軸受空間はシール部材６でシールされている。また、前記ブラケット１１は、ボルト１５が嵌挿される取付け孔１６が基端に設けられ、この基端を支点として自動車用エンジンのケーシング等に取り付けられるようになっている。
【００１５】
図２（ａ）、（ｂ）は、第２の実施形態を示す。このプーリの固定構造は、基本的な構成は第１の実施形態のものと同じであり、前記内輪２の前端面側に、プーリ付き軸受１の軸受部を覆う環状のダストカバー８が設けられ、このダストカバー８も加締め代部１４で共に加締めて固定されている点のみが異なる。
【００１６】
上述した各実施形態では、プーリ付き軸受のプーリを金属製のものとしたが、プーリは樹脂製のものとすることもでき、その形態も実施形態のものに限定されることはない。
【図面の簡単な説明】
【００１７】
【図１】ａは第１の実施形態のプーリの固定構造を示す縦断正面図、ｂはａの加締め代部を加締める前の状態を示す縦断正面図
【図２】ａは第２の実施形態のプーリの固定構造を示す縦断正面図、ｂはａの加締め代部を加締める前の状態を示す縦断正面図
【符号の説明】
【００１８】
１  プーリ付き軸受
２  内輪
３  外輪
４  ボール
５  保持器
６  シール部材
７  プーリ
８  ダストカバー
１１  ブラケット
１２  係合用段面
１３  軸部
１４  加締め代部
１５  ボルト
１６  取付け孔
【図１】
2007040368.tif 000003
【図２】
2007040368.tif 000004
(57)【要約】【課題】樹脂プーリ付き軸受のクリープを、簡単な手段で確実に防止できるようにすることである。【解決手段】樹脂プーリがモールド成形される外輪２の外径面に、軸受の回転軸と傾きを持つ軸の周りの周溝６を設けることにより、回転軸の回りに回転対称でない周溝６に充填固化される樹脂との係合によって、外輪２と樹脂プーリ間のクリープを簡単な手段で確実に防止できるようにした。【選択図】図２
2007040362.tif 000002
【特許請求の範囲】
【請求項１】
軸受の外輪の外径面に樹脂プーリをモールド成形によって一体化した樹脂プーリ付き軸受において、前記樹脂プーリがモールド成形される外輪の外径面に、軸受の回転軸と傾きを持つ軸の周りの周溝を設けたことを特徴とする樹脂プーリ付き軸受。
【請求項２】
前記周溝を断面形状が均一なものとした請求項１に記載の樹脂プーリ付き軸受。
【発明の詳細な説明】
【技術分野】
【０００１】
本発明は、軸受に樹脂プーリを一体化した樹脂プーリ付き軸受に関する。
【背景技術】
【０００２】
軸受に樹脂プーリを一体化した樹脂プーリ付き軸受は、金属製の軸受外輪の外径面にモールド成形によって樹脂プーリを一体化したものが多い。このような樹脂プーリ付き軸受では、軸受の温度上昇に伴う金属と樹脂の熱膨張率の差によって、外輪と樹脂プーリとの結合強度が低下し、これらの間でクリープと呼ばれる相対的な滑りが生じることがある。
【０００３】
このようなクリープを防止する手段としては、外輪の外径面で周方向へ延び、深さ方向で互いに逆向きに傾斜する２つの周溝を形成する手段（例えば、特許文献１参照）、外輪の外径面で周方向へ傾斜して延び、その幅と深さが周方向で変化する周溝を形成する手段（例えば、特許文献２参照）、外輪の外径面に設けた周溝の底面にローレット加工等により凹凸を形成する手段（例えば、特許文献３参照）、外輪の外径面に螺旋溝と周溝を形成する手段（例えば、特許文献４参照）、外輪の外径面に半径方向の貫通孔を有するリング状部材を圧入し、その外側に樹脂プーリをモールド成形する手段（例えば、特許文献５参照）等が提案されている。
【０００４】
これらのクリープ防止手段は、いずれも外輪の外径面に形成された周溝や螺旋溝等の凹凸や、外輪の外径面に圧入したリング状部材の貫通孔にモールド成形される樹脂を充填し、外輪と樹脂プーリとの結合強度を高めるようにしたものである。
【０００５】
【特許文献１】特開２００２−３７２１３１号公報
【特許文献２】特開２００３−６５４２４号公報
【特許文献３】特開平１１−１４８５５０号公報
【特許文献４】特開２００３−２０７０３２号公報
【特許文献５】特開平１１−９４０５５号公報
【発明の開示】
【発明が解決しようとする課題】
【０００６】
特許文献１乃至３に提案された外輪の外径面に周溝を形成するものは、単に周方向へ延びる周溝を形成するのみではクリープを防止できないので、周溝を深さ方向で互いに逆向きに傾斜させたり、周溝の断面形状を周方向で変化させたり、周溝の底面に凹凸を形成したりしている。このため、これらの異形の周溝の加工に手間がかかる問題がある。また、特許文献４に提案された外輪の外径面に螺旋溝と周溝を形成するものも、２種類の溝を加工するのに手間がかかる。なお、特許文献１に提案された深さ方向で互いに逆向きに傾斜した周溝は、回転対称であるので、クリープを確実に防止することはできない。
【０００７】
特許文献５に提案された外輪の外径面に半径方向の貫通孔を有するリング状部材を圧入したものは、リング状部材の貫通孔を容易に加工でき、リング状部材と樹脂プーリ間のクリープは防止できるが、リング状部材と外輪との間にクリープが生じる恐れがある。
【０００８】
そこで、本発明の課題は、樹脂プーリ付き軸受のクリープを、簡単な手段で確実に防止できるようにすることである。
【課題を解決するための手段】
【０００９】
上記の課題を解決するために、本発明は、軸受の外輪の外径面に樹脂プーリをモールド成形によって一体化した樹脂プーリ付き軸受において、前記樹脂プーリがモールド成形される外輪の外径面に、軸受の回転軸と傾きを持つ軸の周りの周溝を設けた構成を採用した。
【００１０】
すなわち、樹脂プーリがモールド成形される外輪の外径面に、軸受の回転軸と傾きを持つ軸の周りの周溝を設けることにより、回転軸の回りに回転対称でない周溝に充填固化される樹脂との係合によって、外輪と樹脂プーリ間のクリープを簡単な手段で確実に防止できるようにした。
【００１１】
前記周溝を断面形状が均一なものとすることにより、周溝を容易に加工することができる。また、外輪の剛性を部分的に低下させる恐れもない。
【発明の効果】
【００１２】
本発明の樹脂プーリ付き軸受は、樹脂プーリがモールド成形される外輪の外径面に、軸受の回転軸と傾きを持つ軸の周りの周溝を設けたので、回転軸の回りに回転対称でない周溝に充填固化される樹脂との係合によって、外輪と樹脂プーリ間のクリープを簡単な手段で確実に防止することができる。
【００１３】
前記周溝を断面形状が均一なものとすることにより、周溝を容易に加工することができる。また、外輪の剛性を部分的に低下させる恐れもない。
【発明を実施するための最良の形態】
【００１４】
以下、図面に基づき、本発明の実施形態を説明する。この樹脂プーリ付き軸受は、図１および図２に示すように、転がり軸受１の外輪２の外径面にモールド成形によって樹脂プーリ５を一体化したものであり、外輪２の外径面には、軸受１の回転軸と傾きを持つ軸の周りの周溝６が形成され、この周溝６にモールド成形された樹脂が充填固化されている。
【００１５】
図３（ａ）に示すように、前記周溝６の断面形状は、容易に加工できる均一な矩形断面とされている。図３（ｂ）、（ｃ）は、それぞれ周溝６の変形例を示す。図３（ｂ）の変形例は均一な三角形断面、図３（ｃ）の変形例は均一な台形断面とされている。
【００１６】
図１に示したように、前記転がり軸受１は外輪２と内輪３との間にボール４が配列された玉軸受であり、内輪３が固定軸（図示省略）に嵌着される。また、樹脂プーリ５は外径面に平ベルト（図示省略）が巻回されるようになっており、このベルトから駆動力を伝達されて、外輪２と一体に回転する。
【００１７】
前記ベルトから伝達される駆動力によって、樹脂プーリ５は外輪２よりも先に回転しようとするが、外輪２と樹脂プーリ５は、前記周溝６に充填固化された樹脂で強固に係合されているので、両者間に相対的な滑りが生じることはなく、クリープが確実に防止される。また、ベルトの振れ等によって樹脂プーリ５が外輪２に対して軸方向へずれるのも防止される。
【００１８】
上述した実施形態では、軸受を玉軸受とし、樹脂プーリを平ベルト用のものとしたが、軸受と樹脂プーリのタイプは実施形態のものに限定されることはなく、任意のタイプのものを採用することができる。
【図面の簡単な説明】
【００１９】
【図１】樹脂プーリ付き軸受の実施形態を示す縦断正面図
【図２】図１の外輪を示す正面図
【図３】ａは図２の外輪の周溝を拡大して示す正面図、ｂ、ｃは、それぞれａの変形例を示す正面図
【符号の説明】
【００２０】
１  軸受
２  外輪
３  内輪
４  ボール
５  樹脂プーリ
６  周溝
【図１】
2007040362.tif 000003
【図２】
2007040362.tif 000004
【図３】
2007040362.tif 000005
(57)【要約】【課題】  冷媒の流量を制御する電動弁における冷媒通過音の低減を図る。【解決手段】  電動弁１の弁本体１０は、オリフィス１２と弁室１４と冷媒通路１６を有する。モータユニット５０は、出力軸６２を回動し、駆動軸６４は軸方向に移動する。弁軸８０は弁体８２をオリフィス１２に対して離接させる。弁体の外側には、整流部材１００が設けられる。整流部材１００は、複数の小径の整流穴１３０を有し、大きな気泡が弁室１４を通過するのを防止するとともに、気泡の細分化を図る。【選択図】        図１
2007040330.tif 000002
【特許請求の範囲】
【請求項１】
弁室と弁室の軸線方向に形成されるオリフィスを有する弁本体と、弁室に移動可能に配設される弁体と、弁体をオリフィスに対して離接する電動手段と、弁室の軸線に直交する方向に設けられる冷媒通路と、冷媒通路およびオリフィスに連通される１対の配管を備える電動弁であって、
弁体と一体に移動する整流部材を備え、
整流部材は、弁体に固着される取付部と、弁室に遊合する外径寸法を有する円盤部と、円盤部に設けられる複数の整流穴とを備える電動弁。
【請求項２】
弁体は、弁室の内径部に摺接する大径部と、整流部材が固着される小径部と、小径部の先端に形成されるニードル部とを備える請求項１記載の電動弁。
【発明の詳細な説明】
【技術分野】
【０００１】
本発明は、冷凍サイクルに配設されて冷媒の流量を制御する電動弁に関する。
【背景技術】
【０００２】
冷媒の流量を制御する電動弁にあっては、冷媒が弁室を通過する際に流動音を発生させる。
下記特許文献は、この流動音を低減する電動弁を開示している。
【特許文献１】特開２００５−３３３６号公報
【発明の開示】
【発明が解決しようとする課題】
【０００３】
弁体が装備されている弁室内に流入する冷媒は、液相冷媒中に気相冷媒が混入される２相流状態が起こる。
気相冷媒の泡沫が成長して大きな気泡となると、弁室内を通過する際に衝突音を発生し、騒音の原因となる。
本発明の目的は、気泡により発生する騒音の低減を図る電動弁を提供することにある。
【課題を解決するための手段】
【０００４】
上記目的を達成するために、本発明の電動弁は、基本的な手段として、弁室と弁室の軸線方向に形成されるオリフィスを有する弁本体と、弁室に移動可能に配設される弁体と、弁体をオリフィスに対して離接する電動手段と、弁室の軸線に直交する方向に設けられる冷媒通路と、冷媒通路およびオリフィスに連通される１対の配管を備えるとともに、弁体に取り付けられる整流部材を備え、整流部材は、弁体に固着される取付部と、弁室に遊合する外径寸法を有する円盤部とし、円盤部に設けられる複数の整流穴とを備える。
好ましくは、弁体は、弁室の内径部に摺接する大径部と、整流部材が固着される小径部と、小径部の先端に形成されるニードル部とを備える。
【発明の効果】
【０００５】
本発明は以上の手段を備えることにより、弁室を通過する冷媒中の大きな気泡を弁体またはオリフィスの近傍で細泡とし、流動音を低減することができる。
【発明を実施するための最良の形態】
【０００６】
図１は本発明の電動弁の全体構成を示す説明図である。
全体を符号１で示す電動弁は、黄銅等で作成される弁本体１０を有する。弁本体１０は弁体が挿入される弁室１４とオリフィス１２と弁室の軸線に直交する方向に設けられる冷媒通路（絞り穴）１６を有し、冷媒通路１６に連通する配管２０とオリフィス１２に連通する配管２２が固着される。
【０００７】
弁本体１０には、ナット部材３０を介してモータユニット５０の軸受５２が取付けられる。
モータユニット５０は、モータ５４と減速装置５６を有し、減速された出力は、マイナスドライバー状の出力軸６２を介して駆動軸６４に伝達される。
【０００８】
軸受５２の中心部の雌ねじに駆動軸６４の雄ねじが螺合し、出力軸６２により駆動軸６４は回転駆動され、軸方向に移動する。駆動軸６４の移動は、ボール７０、受け部材７２を介して弁軸８０に伝達される。弁軸８０の先端には弁体８２が取り付けてあり、オリフィス１２からのリフト量により通過する冷媒の流量を制御する。
【０００９】
弁軸８０の外周部にはベローズ９２が配設され、リング部材９０により弁本体１０に固着される。このベローズ９２により、弁室１４側とモータユニット５０の間がシールされる。
【００１０】
図２は、弁本体１０とその内部の構造の詳細を示す。
弁軸８０の先端に取り付けられる弁体８２は、弁室１４の内径部に摺接する大径部８２ａと、大径部８２ａに連続する小径部８２ｂと、弁体８２の先端に形成されるニードル部８２ｃとを有する。
そして、弁体８２の小径部８２ｂに整流部材１００を備える。
【００１１】
図３は整流部材１００の詳細を示す。
整流部材１００は、弁体８２の小径部８２ｂに圧入等の方法で固着される円筒状の取付部１１０と、取付部から水平方向に拡がる円盤部１２０と、円盤部１２０に設けられる複数の整流穴１３０とを有する。円盤部１２０の外径寸法は、弁室１４の内径寸法に対して必要なクリアランスを有して弁室１４に遊合する。
整流部材１００は、一例としては板より絞りプレス加工により形成される、いわゆるパンチングプレート材である。
オリフィス１２および冷媒通路１６は、配管２０，２２の内径よりも十分に小さい径（一例としては３０〜４０％程度）に形成されて絞り作用を奏する。また整流穴１３０の径や個数はオリフィス１２または冷媒通路１６の開口面積とほぼ同等となるように適宜に決定され、整流穴１３０の総てが同径である必要はない。
この構成により、開弁時に弁室１４を通過する冷媒は、全てこの整流穴１３０を通過することとなる。
この際に、冷媒中に混入する大きな気泡はこの整流穴１３０により細分化されて弁室１４を通過する。この作用によって、電動弁を通過する冷媒の通過音は低減される。
【図面の簡単な説明】
【００１２】
【図１】本発明の電動弁の全体構成を示す説明図。
【図２】弁本体の説明図。
【図３】整流部材の説明図。
【符号の説明】
【００１３】
１  電動弁
１０  弁本体
１２  オリフィス
１４  弁室
１６  冷媒通路（絞り穴）
２０，２２  配管
５０  モータユニット
６２  出力軸
６４  駆動軸
８０  弁軸
８２  弁体
８２ａ  大径部
８２ｂ  小径部
８２ｃ  ニードル部
１００  整流部材
１１０  取付部
１２０  円盤部
１３０  整流穴
【図１】
2007040330.tif 000003
【図２】
2007040330.tif 000004
【図３】
2007040330.tif 000005
(57)【要約】【課題】  本発明が解決しようとする課題は地図をあしらったマスコットキャラクターの全国ご当地根付等の専用展示ケ−スを提供し、購入地の思い出を想起しながら、当該品の造形美を鑑賞し楽しむ事ができるようにする事である。【手段】（１）透明な素材（プラスチック、ガラス等）を多用する。（２）ケースの底部には地図（日本全国地図、地方別地図、県別地図、高速道路別地図等）を描く。（３）ケースの底部の地図上にマスコットキャラクターの全国ご当地根付等を設置する窪みを作る【選択図】図１
2007068960.tif 000002
【特許請求の範囲】
【請求項１】
（１）透明な素材（プラスチック、ガラス等）を多用する。（２）ケースの底部には地図（日本全国地図、地方別地図、県別地図、高速道路別地図等）を描く。（３）ケースの底部の地図上にマスコットキャラクターの全国ご当地根付等を設置する窪みを作る
【発明の詳細な説明】
【発明の詳細な説明】
【技術分野】
【０００１】マスコットキャラクターの全国ご当地根付等の展示ケースに関するものである。
【背景技術】
【０００２】マスコットキャラクターの全国ご当地根付等の購入者は商品を購入した後、保管・鑑賞するためのケースを持たなかった。
【発明が解決しようとする課題】
【０００３】  購入者は専用の展示ケ−スを持たなかったため、単に箱詰めされる等の保管方法しかなく、鑑賞し楽しむ事もできなかった。
この考案が解決しようとする課題は地図をあしらったマスコットキャラクターの全国ご当地根付等の専用展示ケ−スを提供し、購入地の思い出を想起しながら、当該品の造形美を鑑賞し楽しむ事ができるようにする事である。
【課題を解決するための手段】
【０００４】（１）透明な素材（プラスチック、ガラス等）を多用する。
（２）ケースの底部には地図（日本全国地図、地方別地図、県別地図、高速道路別地図等）を描く。
（３）ケースの底部の地図上にマスコットキャラクターの全国ご当地根付等を設置する窪みを作る
【発明を実施するための最良の形態】
【０００５】以下本考案の実施の形態を説明する。
（１）利用者は透明な素材で作られたケースの蓋に当たる部分を空ける。
透明な素材を使用することにより多方面からマスコットキャラクターの全国ご当地根付等を鑑賞する事ができる。
（２）地図が描かれたケース底部に作られた窪みにマスコットキャラクターの全国ご当地根付等を設置し、蓋部を閉めて鑑賞する。
マスコットキャラクターの全国ご当地根付等を設置するケースの地図を描く事で利用者は購入地の思い出を想起しながら鑑賞する事ができる。
またケース底部の窪みにマスコットキャラクターの全国ご当地根付等を設置する事でケースを移動させたりする際に設置場所が変わる事がない。
【発明の効果】
【０００６】この考案に係わる展示ケースを使用する事で利用者はマスコットキャラクターの全国ご当地根付等を楽しく鑑賞する事ができる。
【図面の簡単な説明】
【図１】本発明の斜視図である。
【図２】本発明の上面図である。
【図３】本発明の断面図である。
【符号の説明】
１  蓋部
２  底部
３  窪み
【図１】
2007068960.tif 000003
【図２】
2007068960.tif 000004
【図３】
2007068960.tif 000005
(57)【要約】【課題】便座装置、便座カバーにトルマリン鉱石の微粉末を混入させ製作し、トルマリンの特性を利用した便座装置と便座カバーを提供する。【解決手段】トルマリン鉱石の微粉末を設け、合成樹脂のペレットに混ぜ合わせる、射出成形機で成形する。便座カバーもトルマリン鉱石の微粉末を含有させた糸を使用して各種織り方で形成され、便座本体、便座フタ、便座カバーがトルマリン含有のためトルマリンの特性である、消臭、抗菌、殺菌効果を利用することを特徴とするトルマリン入り便座装置と便座カバー。【選択図】  図１
2007068953.tif 000002
【特許請求の範囲】
【請求項１】
樹脂製便座装置の便座、ならびに便蓋にトルマリン鉱石の微粉末を混ぜて射出成形機で成形したトルマリン入り便座装置と便座カバー。
【請求項２】
布製の収縮性を有する便座カバーの繊維にトルマリン鉱石の微粉末を混ぜて混入した糸を織り機で織ったトルマリン入り便座装置と便座カバー。
【請求項３】
トルマリン鉱石の微粉末を含有させることで、トルマリンの特性である消臭、抗菌、殺菌等を最大限に利用したトルマリン入り便座装置と便座カバー。
【発明の詳細な説明】
【技術分野】
【０００１】本発明は、トルマリン鉱石の微粉末を含有したトイレ用便座装置と便座カバーに関する。
【背景技術】
【０００２】  従来の洋式便座装置は、楽に便座に座れる装置、便座を暖める機能、人体局部を洗浄する機能、温風乾燥装置を備えたものがほとんどであり、使用者の体重に耐える強度をもった樹脂等で製作されている。一般家庭での便座装置の洗浄、掃除、子供のいる家庭では小便の四散等が多く不潔であり、又多くの人が使用する公共等の便座、便フタではどのくらい不潔であるか想像がつかない。便座カバーにおいては布製の便座カバー等は汚れ、細菌の繁殖の温床であり毎日交換が必要である、特に複数の人が使用する公共トイレにおいては近年使い捨ての便座カバー、便座シートが用いられている。例えば、特公平０６−００００９６号公報、特開２００２−２７２６４０号公報、特開２００４−１０５４９５号公報がある。
【発明の開示】
【発明を解決しようと課題】
【０００３】  それには、次のような問題点があった。
（イ）不特定多数の人が利用する公共の洋式便座は汚れや、雑菌が付着しやすく、            非常に不潔であるため近年紙シート、消毒紙等が使用されているが、毎日の            ことなので費用もかかる。
（ロ）トルマリン鉱石の微粉末が含有した洋式便座装置はない。
（ハ）トルマリン鉱石の微粉末が含有した洋式便座装置の便座カバーはない。
（ニ）布製の便座カバーに抗菌、消毒の効果のある便座カバーは見当たらない。
（ホ）暖房便座の上面は細菌、雑菌を増殖する温床であり、これを防止する方法が            なされていない。
（ヘ）便座の上面を常時殺菌されている清潔な便座はない。
（ト）便座装置の蓋の下面も抗菌、消毒、殺菌の効果のある便座の蓋はない。
（チ）全ての便座装置、便座カバーは見かけはきれいに見えるが、実際は汚れ、細            菌の巣であり、適度の温度で細菌の増殖の温床になっている。
本発明は、以上の問題点を解決するためのものである。
【課題を解決するための手段】
【０００４】  樹脂の原料を設け。その原料にトルマリン鉱石の微粉末を混ぜ便座、便座蓋を射出成形機で成形する。また便座カバーはトルマリン鉱石の微粉末入りの糸で織った布等で便座カバーを設け、トルマリンの特性である脱臭、抗菌、殺菌等の特性を大いに利用する。以上を特徴とするトルマリン含有便座装置と便座カバーである。
【発明の効果】
【０００５】  多くの人が使用する公共トイレ、家庭内のトイレにおいて、便座、便座フタ、布製便座カバーは、不潔であり、細菌の巣であり、学校等の児童の多い場所では、特に便座は衛生的であることが望ましいが、現状では無理なため、この発明ではトルマリン鉱石の微粉末を含有させたことで、トルマリンの特性である、抗菌、脱臭、殺菌の特性を利用することにより効果が大いに期待できる。
【発明を実施するための最良の形態】
【０００６】  以下、本発明の実施の形態を説明する。
（イ）トルマリン鉱石の微粉末を設ける。
（ロ）合成樹脂の材料にトルマリン鉱石の微粉末を混入し攪拌してよく混ぜる。
（ハ）樹脂成形用の射出成形機で成形し、便座と便座蓋を設ける。
（ニ）トルマリン鉱石の微粉末入りの合成樹脂製の便座装置を設ける。
（ホ）トルマリン鉱石の微粉末入りの布製の便座カバーを設ける
（ヘ）便座装置および便座カバーに含有しているトルマリンの特性である消臭、抗            菌、殺菌等の消毒効果で、便座装置、便座カバーは常時清潔になる。
本発明は、以上の構成よりなっている。
これを使用するときは、普通一般に使用されている方法で良く、便座装置、便座カバーにトルマリンの特性が含有されており、その特性である消臭、抗菌、殺菌効果で常時清潔で安心して使用できる効果が期待できる。
【図面の簡単な説明】
【０００７】
【図１】便座装置の斜視図
【図２】便座装置の平面図
【図３】便座カバー斜視図
【符号の説明】
【０００８】    １  便座装置
２  便座
３  蓋
４  便座カバー
【図１】
2007068953.tif 000003
【図２】
2007068953.tif 000004
【図３】
2007068953.tif 000005
(57)【要約】【課題】  ミシン糸とその一部を巻き取ったボビンを整理収納する際、同一色のミシン糸とボビン糸がばらばらにならないよう、それらを連結・固定した状態で保管できるようにした、ミシン糸・ボビン整理器具を提供する。【解決手段】  短い軸（１）の中程に、小さな支持部（２）を設け、軸（１）両端の一方からミシン糸巻（５）、もう一方からボビン（７）を装着できるようにした、ミシン糸巻・ボビン整理器具を特徴とする。【選択図】  図１
2007068955.tif 000002
【特許請求の範囲】
【請求項１】
短い軸の中程に支持部を設けた、ミシン糸巻・ボビン整理器具。
【発明の詳細な説明】
【技術分野】
【０００１】  この発明は、ミシン糸とその一部を巻き取ったボビンの同一場所への整理、収納を容易にするための、ミシン糸巻・ボビン整理器具に関するものである。
【背景技術】
【０００２】  従来、ミシン糸とその一部を巻き取ったボビンは、個々に整理収納していた。その結果、同一色のミシン糸とボビン糸が離れ離れになってしまう。
【発明の開示】
【発明が解決しようとする課題】
【０００３】  これには、次のような欠点があった。
個々に収納したミシン糸巻とボビンを再び使用する際、ボビンが小さいが故に所在が不明になったり、また似通った色の糸が複数ある場合は見分けがつきにくかったりして、目的の色のボビン糸を探し当てるのが困難な場合があった。
また、ミシン糸巻とボビンを、たとえば箱の中などに、共に収納した場合、大きさの違うミシン糸巻とボビンが混在するため、整理が容易でなく、見た目にも乱雑であった。
本発明は、以上のような欠点をなくすためになされたものである。
【課題を解決するための手段】
【０００４】    わん曲した短い軸（１）の中程に、小さな支持部（２）を設け、軸（１）両端の一方からミシン糸巻（５）、もう一方からボビン（７）を装着できるようにした。
本発明は、以上の構成よりなる、ミシン糸・ボビン整理器具である。
【発明の効果】
【０００５】  軸（１）両端から、一方にミシン糸巻（５）もう一方にボビン（７）をはめ込み、軽く固定することで、同一色のミシン糸とボビン糸を連結させた状態で保管できる。そのため、目的のボビンを探す手間が省け、似通った色の糸と混同することもなくなる。
軸の幅は、ミシン糸巻及びボビンの中央孔直径よりわずかに大きくすることで、それらへ装着する際に、軸は弾力性を持つ。その弾力性は、ミシン糸巻及びボビンをはめ込んだ際、中央孔内側から適度な力を加えるため、２つの糸巻を連結した状態を保つことができる。外すことも容易である。
本発明品は、糸巻及びボビンそのものの収納場所あるいは置き場所を特定しないため、例えば箱の中、棚、台の上など、どのような場所においても使用でき、すっきりと整理できる。また、本発明品は小さい器具であるため、本発明品自体の保管にも場所をとらず、効率的である。使用しない本発明品が複数ある場合は、支持部に設けた突起（３）を、他の本発明品の、裏側に設けたくぼみ（４）に差し込めば、複数の本発明品を１つに連結させることができ、更に保管に効率的である。
形状はシンプルで、鋭利な部分がないため、使用、保管にも安全である。
【発明を実施するための最良の形態】
【０００６】  以下、本発明を実施するための最良の形態について説明する。
わん曲した短い軸（１）の中程に、ミシン糸巻（５）とボビン（７）の仕切りとなる、小さな支持部（２）を設ける。
本発明は、以上のような構造で、これを使用するときは、軸の両端の一方からミシン糸巻、もう一方からボビンをはめ込んで、これらを軽く固定し、連結させた状態で、整理収納すればよい。使用しない本発明品が複数ある場合は、突起とくぼみにより連結させて保管することができる。
【図面の簡単な説明】
【０００７】
【図１】  本発明の斜視図である。
【図２】  本発明の斜視図２である。
【図３】  本発明の断面図である。
【符号の説明】
【０００８】  １  軸
２  支持部
３  突起
４  くぼみ
５  ミシン糸巻
６  ミシン糸巻の中央孔
７  ボビン
８  ボビンの中央孔
【図１】
2007068955.tif 000003
【図２】
2007068955.tif 000004
【図３】
2007068955.tif 000005
(57)【要約】【課題】能率よくこりをほぐすことのできる人力タイプの指圧具を提供する。【解決手段】適宜長の棒状物の上部を湾曲させるとともにその下部を折曲してなる主体を設け、湾曲部端に押圧体を設けたことを特徴とする。【選択図】      図１
2007068958.tif 000002
【特許請求の範囲】
【請求項１】
適宜長の棒状物の上部を湾曲させるとともにその下部を折曲してなる主体を設け、湾曲部端に押圧体を設けたことを特徴とする指圧具。
【発明の詳細な説明】
【技術分野】
【０００１】  この発明は、効率よく指圧を行うことのできる指圧具に関する。
【背景技術】
【０００２】  従来より、指圧具や指圧装置が多用されているが、本発明にて示すように、両手を用いて能率的に指圧を行うことのできる用具は現在のところ見当たらない。
【発明の開示】
【発明が解決しようとする課題】
【０００３】  生活の中で人体の特定個所にコリを生ずることは日常的であり、首、肩、背中のコリをほぐすために種々の用具や装置が利用されている。人力タイプのものとしては、棒体の一部を湾曲させてその先端に硬質部材を位置させ、これを片手に持って先端部を肩や背中に適宜回数押しつけてコリをほぐすものがある。一方、装置としては背もたれのある着座体の背もたれ部分に一対の可動突起を設け、この突起を電動にて動かして背中等をもみほぐすものが知られている。
これらは適宜に選択して利用されるが、一長一短がある。すなわち、人力によるものは安価であり、手軽に利用できるが片手による押圧のため、十分な指圧効果が得られない。
また、装置タイプのものは電動のため労力を要せず、安楽に利用できるが高価であるとともに電力を要し、設置スペースが必要である。また、持ち歩くことができず希望の人体個所を重点的にもみほぐすことが困難である。
本発明は、以上のような従来からの指圧物品・装置に関わる課題を解決するために発明されたもので、両手を用いることにより、希望個所に対する押圧力を高め、十分なる指圧効果が得られるとともにその運搬も容易なる新規かつ有用なる指圧具を得ることを目的として開発されたものである。
【課題を解決するための手段】
【０００４】  課題を解決する手段として本発明は、棒状物を湾曲および折曲した主体の湾曲端に押圧体を設けてその主要部を構成した。すなわち、適宜長の棒状物の上部を湾曲させるとともにその下部を折曲してなる主体を設け、湾曲部端に押圧体を設ける。本発明は以上の構成よりなる指圧具である。
【発明の効果】
【０００５】  本発明によれば、両手を用いる押圧のため、必要な押圧力が容易に得られるとともに押圧位置の特定がし易く、また押圧体形状を適宜に選択することにより、押圧面における単位面積当たりの押圧力を増加させることができて、従来の指圧手段では得られなかった指圧効果を得ることのできる、有用なる用具を提供することができる。
【発明を実施するための最良の形態】
【０００６】  以下、本発明の実施形態について説明する。
図において、１は金属製管体による主体で、その上部を半円形に折曲し、下部は鈍角に折曲して握持部２が形成される。３は握持部端に固着される中空球による球体、４はこの握持部外周に覆設される合成樹脂製のクッション体である。５は主体の中央近傍の側面に固着される上部握持体で、主体よりやや外径小の金属短管体を握持部と反対側に固着したもので、その端部には中空球６が固着される。７は上部握持体の下方に設けられる下部握持体で、上部握持体と同一構成である。９は押圧体で、主体の湾曲した端部に適宜支持部材を介して設けられる。この押圧体は、中空金属球の両端を切断除去した形状であり、この切断面を主体に向けて取り付けられる。
本発明の使用に際しては、図５〜図６に示すように、片手で握持部を握り、他方の手で上部または下部の握持体を握って湾曲部端の押圧体を背中の所望個所に当てて押圧する。
これを適宜に行うことにより希望個所は押圧を受けて血行が促進され、コリをほぐすことができる。【０００７】  このように本発明品は両手を用いて押圧させるところに特徴を有し、従来品のように片手による押圧に比べてその押圧力を大とすることができ、また主体の位置安定が得やすい上に押圧個所に容易にあてがうことができる。
本例に用いた押圧体は、既述のように中空球を切断した形状であるとともに、その切断面は主体方向に向いており、この切断端部は曲線状のエッジとなるので、このエッジ部分にて所望個所を押圧することとなり、押圧面における単位面積当たりの押圧力を増加させることとなってより能率的にコリをほぐすことができる。
本例では握持体を上部と下部の２本設けているので、使用者の身長や押圧個所の変化に対応可能であり、主体下部の折曲は主体中部に対して鈍角としているので押圧の力加減をし易く、またクッション体を設けたので握持部はソフトな感触を得られる。また、握持部端と握持体端には球体が固着されており、手の滑りによる不安定感を避けることができる。
押圧体は本例では円形孔を有するものとしているが、孔無しでもよい。なお、図示は実施の一例であり、近似の他の形状としてもよい。
以上のごとく、本発明にて能率的に押圧してコリをほぐすことができるとともに、任意場所への運搬にも便利なる指圧具を得ることができる。
【図面の簡単な説明】
【０００８】
【図１】  本発明の正面図
【図２】  本発明の要部拡大説明図
【図３】  本発明の右側面図
【図４】  本発明の要部拡大説明図
【図５】  本発明の使用状態図
【図６】  本発明の使用状態図
【符号の説明】
【０００９】１  主体
２  握持部
３  球体
４  クッション体
５  上部握持体
６  中空球
７  下部握持体
８  中空球
９  押圧体
【図１】
2007068958.tif 000003
【図２】
2007068958.tif 000004
【図３】
2007068958.tif 000005
【図４】
2007068958.tif 000006
【図５】
2007068958.tif 000007
【図６】
2007068958.tif 000008
(57)【要約】      （修正有）【課題】従来比の種枕等は、波形及円筒形が、主たるものであるが本来、人体構造がそれぞれ異り特に肩巾の違いは横向きに成った場合枕の高さの調整が好ましい横向きでテレビなどを見る場合も都合が良い社会生活に安らぎを与えることが出来る。【解決手段】枕Ａに連接したＢのベルト６図裏面の符号Ｃ及び１が長さ調整が実施され、枕自体を圧縮した場合は高く成り、ベルトを緩めると低く成り、使用時の微調整は符号２のゴムテープが枕裏面両側のＢを両手で左右に引張ると低く成ることを特徴とした使用時に於いて高さ調整の出来る枕。【選択図】図−１
2007068952.tif 000002
【特許請求の範囲】
【請求項１】
使用時に於いて高さ調整の出来る枕
高さ調整の出来る枕Ａは締め付け用ベルトＢは底辺部Ｃのマジックテープに固着用マジックテープ１と合体により第１図それぞれの矢印は低く成り第２図矢印の場合は高く成り、Ｒ−１は使用時、頭部の荷重で安定することを特徴とする。使用時に於いて高さ調整の出来る枕。
【発明の詳細な説明】
【発明の詳細な説明】
【技術分野】
【００１】本発明は就寝等に於いて高さ調整の出来る枕で、横向きに寝る場合それぞれ人により肩巾に合せ調整の出来る人間工学的寝具に関する。
【背景技術】
【００２】従来の一般的枕は波形及円筒形等が、主流であり人間工学的に適切でない。
【発明が解決しようとする課題】
【００３】今日多様されている枕は主として円筒形又は波形等で横向き等で就寝又はテレビの鑑賞及び医学的要請等巾広く対応が出来る枕である。
【００４】本発明は人間工学的に対応する為、図−１、Ａの枕が底辺部符号Ｒ−１が、それぞれ移動することで点線Ａのような状態に成り、高低の調整が出来る。
【課題を解決するための手段】
【００５】上記目的を達成するため本発明は枕Ａの表面から裏側に到る巾広の布等のベルトＢによる長方形に包合するように裏面に長さ調整が可能のようにマジックテープＣ及び１を縫着、更にゴムテープ２をＢに縫着、使用時に於いて頭部の荷重により両面側への膨張を防止するため樹脂等の管枕Ｒ−１から成り調節移動は矢印から成るように調整のできる枕。
【発明実施の形態】
【００６】図−１は枕ＡをベルトＢによる結合図点線のＡは高く成ることを示すものであり、以下符号により説明するＣは中芯に於いてマジックテープでそれぞれの１は高さ設定用のマジックテープで矢印方向に設定すると枕は低くなる２はゴムテープでゆとりを保持させるためののもでＲ−１は樹脂等の管を布で包合、使用時に於いて頭部の接地方向の荷重で高低を安定させることを示し、Ｎはベルトと枕の縫着から成る。
図−２は枕Ａを高くした場合の従側図面で中芯に設定するＣのマジックテープにそれぞれの１を矢印方向に接着すると高くなることを示し、２はゴムテープで使用時に於いて天床に向いて頭部荷重により両手でＲ−１を外側に第１図  の矢印方向に引張ると微調整が出来ることを示し、Ｎの縫着部から成る。
図−３はマジックテープＣの側面図である。
図−４は枕ＡにベルトＢを縫着した２の従側面Ｉ部破断入りの展開図で左右のそれぞれ符号Ｒ−１及び１．２．は矢印のように枕の下方に設定されることを示しＮの縫着部から成る。
図−５は枕にベルトを縫合したそれぞれのＮによって結合した平面図でＡの枕、ＢはベルトでＲ−１は樹脂等の管を布等で包合、使用時に於いて頭部の接地方向の荷重で高低を安定させることを示し２のゴムテープから成る。
図−６は枕ＡとベルトＢの組み立て裏面図で左右のＲ−１は使用に於いて頭部の荷重で側面への拡張を防止することを示し、１のマジックテープ２のゴムテープＣの中央マジックテープから成る。
【図面の簡単な説明】
【図−１】は通常の状態を示す枕Ａは枕でＢのベルトは下方のマジックテープＣに１によって固着Ｒ−１は頭部の荷重で安定を計り矢印は移動を示し点線Ａは高さを示す従側図面である。
【図−２】は高くした場合の従側図面でＣ及び１の矢印方向に移動による。
【図−３】はマジックテープの単体の従側図面である。
【図−４】は枕ＡとベルトＢが縫合Ｎによって結合した従側図面で矢印のように曲折下方に於いて結合することを示す。
【図−５】は枕ＡとベルトＢが縫着部Ｎによって一般破断線入り平面図である。
【図−６】は枕ＡでベルトＢが裏面に於けるマジックテープＣを中心とした１によっての結合図である。
【図−１】
2007068952.tif 000003
【図−２】
2007068952.tif 000004
【図−３】
2007068952.tif 000005
【図−４】
2007068952.tif 000006
【図−５】
2007068952.tif 000007
【図−６】
2007068952.tif 000008
(57)【要約】【課題】  レジャーランドの遊戯用自動車は乗物毎に電動機又はガソリンエンジンを備え、構造が複雑な為、故障の発生する率が高くまた、バッテリーの交換又はガソリンの補給が必要であり、運営に当たって多大なコストが発生する。【解決手段】建物屋根下部に設けた羽根を動力に回転させることにより建物内に風を発生させ、この風を受けて乗物を走行させることにより、個々の乗物には、電動機又はエンジンが不要となり、構造が単純と成る為、故障が少なく、メンテナンスが容易であると共に。バッテリーの交換又はガソリンの補給が不要であり、運営コストが低減出来る。【選択図】  図４
2007068963.tif 000002
【特許請求の範囲】
【請求項１】
建物内に鉛直または鉛直に近い角度で設置された軸に水平又は水平に近い角度で取り付けられた羽根を建物の天井下部に設け、この羽根を電動機などの動力により回転することにより、建物内に風を発生させ、建物内の床面上に置かれた乗物をこの風力により走行させることを特徴とする風力遊戯施設。
【請求項２】
前記乗物は複数の車輪と方向転換をする為のハンドル装置を設けると共に風を受ける為の、パラボラ型または凹型の矩形またはそれらと類似形状の受風板を設けたことを特徴とする請求項１記載の風力遊戯施設用乗物。
【請求項３】
前記建物は建物屋根に空気を取り入れる為の吸気口を設け、建物外壁の一部に、排気口を設けることにより建物内の温度上昇を防ぐことを特徴とする請求項１記載の風力遊戯施設用乗物。
【発明の詳細な説明】
【技術分野】
【０００１】遊戯施設。
【背景技術】
【０００２】従来、レジャーランドには電動又はエンジンで駆動する遊戯用の乗物が供されているが、乗物毎に駆動装置を設ける必要があり、乗物の構造が複雑になり故障の発生する率が高くなると共に、電動式であればバッテリーを交換する必要があり、エンジン駆動式では、ガソリンの補給をする必要があり、レジャーランドの運営に当たって多くの時間とコストが発生する。
【発明が解決しようとする課題】
【０００３】建物内で動力により風を発生させ、この風力により、建物内の乗物を走行させる遊戯施設であり、乗物毎に電動機又はエンジンを搭載する必要が無く、故障の少ないシンプルな構造に出来ると共に、バッテリーの交換やガソリンの補給が不要な運営上有利な乗物遊戯施設を提供する。
【発明実施の形態】
【０００４】本発明の実施例を図１〜図６により以下に説明する。
円形の建物の屋根８の下部に内壁６内に設けた電動機１ａで駆動する鉛直のシャフト１ｂより水平に放射状に配した６枚の長さが外壁よりやや短い羽根２を設ける。内壁と外壁の間の走路５には、受風板Ｒ１を設けた多数の乗物３を置く。このように構成された施設に於いて、電動機１ａにより羽根２を回転すれば建物内に回転する風が発生し、この風を受けて乗物３は建物内を走行を始める。この乗物にはハンドルＲ４とブレーキＲ５を設けているので、遊戯者は、ハンドルにより走路５の内と外の間の任意な位置を走行出来ると共に、ブレーキ（Ｒ５）操作によりスピードの調整が可能であり、他の乗物との前後の間隔を調整出来る。
羽根２の回転を速くすれば、速い風速の風が発生し、乗物３は高速で走行することが出来るのでスリルのある遊戯が出来る。
また、装置からの発熱及び、太陽からの熱などにより、建物内は特に夏季は高温になるので、これを防ぐ目的で、建物屋根８には外気を取り入れる為の吸気口９と壁７には排気口１３を設けている。羽根２が回転すると、建物内を回転する空気の１部は遠心力により排気口１３より排気され、排気した空気量だけ吸気口９より外気を取り込み、建物内の空気の温度を下げることができる。また羽根２が破損した場合に羽根が床に落下して遊戯者を傷つけないように、羽根２の下部にはネット１０を設けている。
【０００５】このような施設により、多数の遊戯者が、同時に自分で運転操作出来る乗物に乗って楽しむことが出来ると共に、乗物にはエンジンなどの駆動装置が無く単純な構造な為、故障が少なくメンテナンスも容易であると共に、ガソリンの補給も不要であり、運営のコストが低減出来る。
【他の実施形態】
【０００６】図１〜図６の実施例では建物を円形としたが、図７及び図８に示すように建物を長円形とすることも可能である。この場合は回転羽根２を２対設ける必要がある。長円形とした場合は走路に直線部分が出来るので、円形の場合に比べて変化のある走行を楽しむことが出来る。
【図面の簡単な説明】
【０００７】図１は本発明による施設の側面を、図２は矢視Ａ−Ａの平断面を、図３は矢視Ｂ−Ｂの平断面を、図４は矢視Ｃ−Ｃの断面を示す。図５及び図６は乗物を示す。図７及び図８は建物を長円形とした場合の実施例を示す。
【符号の説明】
【０００８】１ａ  電動機
１ｂ  シャフト
２  羽根
３  乗物
４  電動機支持台
５  走路
６  内壁
７  外壁
８  屋根
９  吸気口
１０  ネット
１１  出入口扉
１２  窓
１３  排気口
Ｒ１  受風板
Ｒ２  バンパー
Ｒ３  車輪
Ｒ４  ハンドル
Ｒ５  ブレーキ
Ｒ６  座席
【図１】
2007068963.tif 000003
【図２】
2007068963.tif 000004
【図３】
2007068963.tif 000005
【図４】
2007068963.tif 000006
【図５】
2007068963.tif 000007
【図６】
2007068963.tif 000008
【図７】
2007068963.tif 000009
【図８】
2007068963.tif 000010
(57)【要約】【課題】本発明は、既にネックレス等に装着されている留め具に接続することにより、着脱を容易にできるようにするマグネット式の装身具用留め具に関するものである。【解決手段】  磁性体によって着脱可能な二つの留め具の両端にそれぞれかんと引き輪を設けたことを特徴とする装身具用留め具。【選択図】図１
2007068947.tif 000002
【特許請求の範囲】
【請求項１】
磁性体によって着脱可能な二つの留め具の両端に、かんと引き輪を設けた装身具用留め具。
【請求項２】
磁性体によって着脱可能な二つの留め具の両端に、引き輪を設けた装身具用留め具。
【発明の詳細な説明】
【技術分野】
【０００１】  本発明は、既にネックレス等に装着されている留め具に接続することにより、着脱を容易にできるようにするマグネット式の装身具用留め具に関するものである。
【背景技術】
【０００２】  ネックレス等鎖を使用した装身具には、一般的にはかんと引き輪と呼ばれる留め具が販売時に装着されている。
【発明の開示】
【発明が解決しようとする課題】
【０００３】  そのために、次のような問題点があった。
（イ）ネックレス等を着脱するためには、鎖の両端に付いているかんと呼ばれる金属の輪と引き輪と呼ばれる開閉できる金具を、首の後ろに手を回して接続させるか、又は金具を顔の前方に回し持ってきて接続させるかのどちらかである。しかし、この金具は非常に小さいものであり、高齢になって指先の自由がきかなくなってくると、接続金具の開閉が困難となる。
（ロ）接続金具の開閉ができた場合でも、高齢等により視力が衰えてきた場合は、左右の金具を接続させることがさらに困難となる。
（ハ）上記（イ）（ロ）の理由により、高齢者等は所有しているネックレス等の装身具をほとんど使用しなくなってしまう。
本発明は、以上の問題点を解決するものである。
【課題を解決するための手段】
【０００４】  磁性体によって着脱可能な二つの留め具の両端にそれぞれかんと引き輪を設けたことを特徴とする装身具用留め具。
【発明の効果】
【０００５】  留め具の左右の金具に、既製のネックレス等の留め具を接続する。一度取り付けた後はマグネットによって着脱できるので、小さな留め具を開閉したり接続したりする必要はなくなる。マグネットは近づけただけで正しくしっかりと接続することが可能であり、また接続を解除する際も強い力を必要としない。【０００６】  本発明を所有しているネックレス等に装着することにより、指先が不自由になった高齢者・視力が衰えてきた人・年齢とともに肩の関節に障害が出てきて腕を後ろに回すことが困難となった人、などが容易にネックレス等を着脱できるようになる。既に所有している装身具に簡単に装着できるので、その装身具自体を改造したりする費用や手間がかからない。【０００７】  利用できずに保管していた装身具を再び使用することにより、高齢者の精神面にも良い影響を与えることができる。
【発明を実施するための最良の形態】
【０００８】  以下、本発明の実施の形態について説明する。
【実施例１】
【０００９】（イ）２つの金属製の留め具（１）（２）の両側に磁性体（５）を埋め込み、２つの金属が磁性体によって接続できるようにする。
（ロ）留め具（１）の磁性体を埋め込んだ反対側にかん（３）を取り付ける。
（ハ）留め具（２）の磁性体を埋め込んだ反対側に引き輪（４）を取り付ける。
本発明は以上のような構成で、これを使用するときには、所有しているネックレス等と本発明を接続する。
接続の仕方を述べると、留め具（１）のかん（３）にネックレス等に本来ついている留め具の引き輪（１１）を接続し、留め具（２）の引き輪（４）にネックレス等に本来ついている留め具のかん（１０）を接続する。
このようにして一度接続した後は、ネックレスに本来ついている留め具を使用する必要はなく、接続された留め具（１）（２）の磁性体（５）によりネックレス等の着脱ができるものである。
【実施例２】
【００１０】（イ）２つの金属製の留め具（６）（７）の両側に磁性体（５）を埋め込み、２つの金属が磁性体によって接続できるようにする。
（ロ）留め具（６）（７）の磁性体埋め込んだ反対側に引き輪（８）（９）を取り付ける。
本発明は以上のような構成で、これを使用するときには、所有しているネックレス等と本発明を接続する。
接続の仕方を述べると、留め具（６）の引き輪（８）にネックレス等に本来ついている留め具のかん（１２）を接続し、留め具（７）の引き輪（９）にネックレス等に本来ついている留め具の引き輪（１３）を接続する。
このようにして一度接続した後は、ネックレスに本来ついている留め具を使用する必要はなく、接続された留め具（６）（７）の磁性体（５）によりネックレス等の着脱ができるものである。
【図面の簡単な説明】
【００１１】
【図１】  本発明の実施例１の斜視図
【図２】  本発明の実施例２の斜視図
【図３】  本発明の実施例１の断面図
【図４】  本発明の実施例２の断面図
【図５】  本発明の実施例１の使用状態を示した図
【図６】  本発明の実施例２の使用状態を示した図
【符号の説明】
【００１２】１    留め具
２    留め具
３    かん
４    引き輪
５    磁性体
６    留め具
７    留め具
８    引き輪
９    引き輪
１０  かん
１１  引き輪
１２  かん
１３  かん
【図１】
2007068947.tif 000003
【図２】
2007068947.tif 000004
【図３】
2007068947.tif 000005
【図４】
2007068947.tif 000006
【図５】
2007068947.tif 000007
【図６】
2007068947.tif 000008